(57)【要約】【課題】  分割型変流器を有する電流測定器により高電圧の電路の電流測定を行う際の感電の危険を回避することのできる電路電流測定器を提供することを課題とする。【解決手段】  開閉可能に構成した分割型環状鉄心に電路の電線を貫通して電路の電流の測定を行う変流器を備えた測定器において、適当な長さの測定棒を設け、この測定棒の先端に少なくとも開閉可能に構成された分割型環状鉄心に検出巻線を巻装してなる変流器を取り付け、前記測定棒の後端部付近に前記変流器の分割環状鉄心の開閉を操作する開閉操作装置を設け、この開閉操作装置と前記分割型環状鉄心とを開閉操作可能に連繋する。【選択図】図１
2005337989.tif 000002
【特許請求の範囲】
【請求項１】
開閉可能に構成した分割型環状鉄心に電路の電線を貫通して電路の電流の測定を行う変流器を備えた測定器において、適当な長さの測定棒を設け、この測定棒の先端に少なくとも開閉可能に構成された分割型環状鉄心に検出巻線を巻装してなる変流器を取り付け、前記測定棒の後端部付近に前記変流器の分割環状鉄心の開閉を操作する開閉操作装置を設け、この開閉操作装置と前記分割型環状鉄心とを開閉操作可能に連繋したことを特徴とする電路電流測定器。
【請求項２】
請求項１の発明において、測定棒は、全部または一部を絶縁部材により形成したことを特徴とする電路電流測定器。
【請求項３】
請求項１または２記載の発明において、前記変流器を前記測定棒の先端部に相対的に取り付け角度を調整可能に取り付けたことを特徴とする電路電流測定器。
【発明の詳細な説明】
【技術分野】
【０００１】
この発明は、例えば送配電系統の送電線や配電線などの漏電や地絡事故の原因や発生場所を調べるために電路の任意の場所でこの電路に流れる負荷電流や漏電または地絡電流を測定することの可能な電路電流測定器に関する。
【背景技術】
【０００２】
このような電路電流測定器として従来から特許文献1に記載されるような検出巻線の施された環状鉄心を開閉可能に分割構成した分割型変流器を有する持ち運び可能に構成された電流測定器が知られている。
【０００３】
この特許文献１に示された従来の測定器を図３、図４に示す。
【０００４】
この図３、図４において、５０は漏電測定器であり、配電系の３相の電路６０の漏電電流を検出する鉄心５１Ａが開閉可能に分割された分割型零相変流器５１と、この零相変流器５１の検出巻線５１Ｂから取り出される漏電電流を示す出力より漏電の有無を検出する漏電検出回路５２と、この検出回路５２からの出力信号を表示信号に変換する表示制御回路５３と、この表示回路５３の出力を表示する表示装置５４とをケース５９に収納している。この漏電測定器５０は持ち運び可能に構成され、測定の必要な配電盤等の任意の位置の電路においてこの電路を形成する電線６１，６２，６３を、零相変流器５１の鉄心内に挿通するために、測定器の開閉ハンドル５８を操作して、分割された環状の鉄心５１Ａを、分割部から開いて開口させ、この開口から電線が挿入されるように測定器を電線側へ近づける。電線が変流器の環状鉄心の中央の貫通孔内へ挿入されたところで、ハンドル５８を元に戻して鉄心の開口を閉じることにより測定器の電路への装着を完了する。
【０００５】
これにより３相の電路に漏電が発生していると、零相変流器５１の検出巻線５１Ｂより漏電電流が検出され、その値が設置された値より大きい場合には、漏電検出回路５２が漏電検出信号を発生し、表示制御回路５３がこれを漏電の発生を示す表示信号に変換する。表示装置５４がこの表示信号により漏電発生表示器を点灯し、漏電の発生を報知する。
【０００６】
このような測定器は、変流器が分割型で持ち運び可能な構成となっているため、任意の場所の電路に装着して漏電を測定できる。
【特許文献１】特開２００１−２３５５０３号公報
【発明の開示】
【発明が解決しようとする課題】
【０００７】
しかしながら、この従来の測定器は、測定器の変流器とほぼ一体的なケース部分を手でもって測定すべき電路へ装着するため、電路が比較的低電圧の分電盤等の電路であれば問題とならないが、高電圧の配電盤の電路の測定を行う場合は、測定器を持って測定を行う測定者が高電圧電路に接近しなければならないので、高電圧により感電する危険性が高まる不都合がある。
この発明は、このような不都合を解消するため、高電圧の電路の測定を行う場合においても感電の危険を回避することのできる電路電流測定器を提供することを課題とするものである。
【課題を解決するための手段】
【０００８】
こうような課題を解決するため、この発明は、開閉可能に構成した分割型環状鉄心に電路の電線を貫通して電路の電流の測定を行う変流器を備えた測定器において、適当な長さの測定棒を設け、この測定棒の先端に少なくとも開閉可能に構成された分割型環状鉄心に検出巻線を巻装してなる変流器を取り付け、前記測定棒の後端部付近に前記変流器の分割環状鉄心の開閉を操作する開閉操作装置を設け、この開閉操作装置と前記分割型環状鉄心とを開閉操作可能に連繋したことを特徴とするものである（請求項１）。
【０００９】
請求項１の発明において、測定棒は、全部または一部を絶縁部材により形成するのがよい（請求項２）。
【００１０】
請求項１または２記載の発明において、前記変流器を前記測定棒の先端部に相対的に取り付け角度を調整可能に取り付けるようにすることができる。
【発明の効果】
【００１１】
この発明によれば、開閉可能に構成した分割型環状鉄心に電路の電線を貫通して電路の電流の測定を行う変流器を備えた測定器において、適当な長さの測定棒を設け、この棒の先端に前記変流器を取り付け、前記測定棒の後端部付近に前記変流器の分割環状鉄心の開閉を操作する開閉操作装置を設け、この開閉操作装置と前記分割型環状鉄心とを開閉操作可能に連繋しているので、測定棒を持って電路に変流器を装着することができる。このため、測定者は、測定棒の長さの分だけ充電された電路から離れて操作でき、その分充電中の電路による感電の危険性を低下でき、送配電系統の保守、点検、のための電路電流の測定を安全に行うことができるという効果が得られる。
【発明を実施するための最良の形態】
【００１２】
以下にこの発明を実施の形態を図に示す実施例について説明する。
【実施例】
【００１３】
図１および図２は、この発明の実施例を示すもので、図１はその正面図、図２はその側面図である。図１および図２には、図示が複雑になるのを避けるため、変流器は、これを構成する鉄心のみを示し、検出巻線は図示を省略している。
【００１４】
図１および図２において、１１は、２分割された変流器１を構成する中心部に貫通孔を有する環状鉄心である。分割された鉄心１１Ａと１１Ｂは蝶番１２により互いに開閉可能に結合されている。２は適当な長さの測定棒である。この測定棒２は全部またはその中間部の一部２１を絶縁部材で形成し、測定棒２の先端部と後端部を電気的に絶縁分離するのが望ましい。
【００１５】
測定棒２の先端部に変流器１が支持板３１，３２を介して取り付けられる。支持板３１，３２はそれぞれ円弧状に形成され、支持板３１の先端に取り付けた固定具３３により一方の分割鉄心１１Ａが調節可能に固定されている。支持板３１の基端側は、測定棒２の先端部に設けられた支持孔２２に移動可能に挿通され、挿入位置が調節可能なように蝶ねじ２３により測定棒２に固定される。
【００１６】
他方の支持板３２の先端に取り付けられた固定具３４に他方の分割鉄心１１Ｂが調節可能に固定されている。この支持板３２の基端側は、測定棒２の先端部に設けた支持孔２４に移動可能に挿入され、この測定棒２により支持されている。この支持板３２は分割鉄心１１Ｂを分割鉄心１１Ａに対して開閉可能にとするため測定棒２には固定されない。
【００１７】
分割鉄心１１Ｂを開閉操作するために、支持板３２の両端部にそれぞれ開閉操作用ロープ４１，４２の一端がそれぞれ結合される。操作用ロープ４１，４２は、他端に操作握り４３，４４を取り付けて、途中、測定棒２に設けた案内ローラ２５，２６を介して測定棒２の後端部（図１では下端部）まで伸ばされている。ロープ４１、４２は環状鉄心１１の開閉操作装置を構成し、操作しないときは、握り４３，４４側の端部をそれぞれ測定棒２に設けた係止片２７，２８に巻き付けて止めておく。
【００１８】
このように構成したこの発明の測定器は、測定の必要な電路に装着する際は、開閉操作用ロープ４１，４２の握り部側の端部を係止片２７，２８から外し、鉄心１１Ｂを鉄心１１Ａから開くために、開き用のロープ４２を下方に引くことにより、測定棒２の支持孔２４により支持された支持板３２が反時計方向に回動され、これによって鉄心１１Ｂが図１に点線で示す閉位置から実線で示す開位置まで移動し、環状鉄心１１の分割部を開口させる。この開口した鉄心１１（変流器１）を、測定棒２の下端部をもって電路の電線へ近づけこの開口から環状鉄心１１の貫通孔内に電線が挿入されるように押し付ける。電線が環状鉄心内に挿入されたら、今度は、その位置で閉じ用のロープ４１を下方へ引くことにより、鉄心１１Ｂが支持板３２とともに時計方向へ回動し、元の位置に戻り、環状鉄心１１の開口が閉じられ、測定可能な状態となるので、この状態で電路の電流測定を行う。
【００１９】
電路における線路電流を測定するときは、測定の必要な電線１本が変流器１の環状鉄心１１に貫通されるようにし、地絡電流や、漏電電流を測定する場合には、３相電路または、単相電路の全部の電線が環状鉄心を貫通するように変流器１を電路に装着する。
【００２０】
なお、図１に示すように鉄心１１の開口部の位置が真上となるように鉄心１１の位置が固定されていると、測定すべき電路の位置によっては、この鉄心の電路への装着作業がやり難い場合がある。このような不都合を解消するために、この発明においては、蝶ねじ２３により鉄心１１Ａの固定位置を調節可能にして固定している。すなわち、蝶ねじ２３を緩めることにより、鉄心１１Ａを支持する支持板３１が測定棒２に対して移動可能となる。この状態で、この鉄心１１Ａの回転角度が所望の角度となるまで回動させると、他方の鉄心１１Ｂも一緒に回動する。所望の角度の位置まで回動したところで、蝶ねじ２３を締め付けて鉄心１１Ａの位置を固定する。鉄心１１Ｂは蝶番１２により鉄心１１Ａと結合されているので、これの位置も固定される。
【００２１】
このようにこの発明によれば測定棒２の先端に取り付けた変流器の測定棒に対する固定位置の調節が可能なため、分割型変流器の開口部に向きを電路の設置状態に対応するように自由に変えることができる。このため、各種の電路に対して測定器を容易に装着することが可能となる。
【図面の簡単な説明】
【００２２】
【図１】この発明の実施例の構成を示す正面図である。
【図２】この発明の実施例の構成を示す側面図である。
【図３】従来装置の機械的構成を示す外観図である。
【図４】従来装置の電気的構成を示すブロック回路図である。
【符号の説明】
【００２３】
１        ：変流器
１１      ：環状鉄心
１１Ａ，Ｂ：分割鉄心
２        ：測定棒
４１、４２：鉄心開閉操作用ロープ
【図１】
2005337989.tif 000003
【図２】
2005337989.tif 000004
【図３】
2005337989.tif 000005
【図４】
2005337989.tif 000006